(57)【特許請求の範囲】
【請求項１】
ユーザに利用される各施設の名称、場所、および提携駐車場の有無が対応付けて登録された施設情報を記憶するとともに、各提携駐車場の名称、場所、および提携先の施設の名称が対応付けて登録された提携駐車場情報を記憶する記憶部と、
前記ユーザが利用を目的としている施設が入力部を介して指定されると、前記記憶部に記憶された施設情報を検索して提携駐車場の有無を調べ、前記指定された施設に提携駐車場がない場合は、前記記憶部に記憶された提携駐車場情報を検索し、前記指定された施設の周辺の他の施設と提携する提携駐車場の名称およびその提携駐車場の提携先の施設の名称を取得し、取得した情報を表示部を介して表示させる制御部と、
前記記憶部に記憶された施設情報と提携駐車場情報とから、前記他の施設と前記他の施設と提携する提携駐車場についての推薦情報を生成する推薦情報生成部と、
前記記憶部に記憶された施設情報と提携駐車場情報とから、前記ユーザにより指定された施設の場所、前記他の施設の場所、および前記他の施設と提携する提携駐車場の場所についての情報を取得して、前記ユーザが各場所を回る際の経路の合計である経路長を算出する経路長算出部とを備え、
前記制御部は、前記経路長算出部で算出された経路長を含めた前記推薦情報を、前記表示部を介して表示させることを特徴とする施設案内装置。
【請求項２】
道路情報を記憶した道路情報記憶部と、
衛星から電波信号を受信し、位置を特定するＧＰＳ受信部と、
出発地点を前記ＧＰＳ受信部により特定し、前記道路情報記憶部の道路情報を用いて、当該出発地点から到達地点まで移動する際の所要時間を求める旅行時間算出部とを備え、
前記制御部は、前記記憶部に記憶された施設情報と提携駐車場情報とに基づき、前記旅行時間算出部により算出された到達予想時刻が、前記他の施設および前記提携駐車場の営業時間内であるときに前記推薦情報を前記表示部を介して表示させることを特徴とする請求項１に記載の施設案内装置。
【請求項３】
前記提携駐車場の満車・空車情報を無線通信により受信する通信部と、
前記通信部を介して前記提携駐車場の前記満車・空車情報を取得する駐車場利用状況取得部とを備え、
前記制御部は、前記駐車場利用状況取得部を介して取得された前記満車・空車情報を含めた前記推薦情報を、前記表示部を介して表示させることを特徴とする請求項１または請求項２に記載の施設案内装置。
【請求項４】
ユーザに利用される各施設の名称、場所、および提携駐車場の有無が対応付けて登録された施設情報を記憶するとともに、各提携駐車場の名称、場所、および提携先の施設の名称が対応付けて登録された提携駐車場情報を記憶する記憶部と、前記記憶部から施設情報と提携駐車場情報とを取得し、取得した情報を表示部を介して表示するように制御する制御部とを備えた施設案内装置を用いた施設案内方法であって、
前記ユーザが利用を目的としている施設が入力部を介して指定されると、前記制御部は、前記記憶部に記憶された施設情報を検索して提携駐車場の有無を調べ、前記指定された施設に提携駐車場がない場合は、前記記憶部に記憶された提携駐車場情報を検索し、前記指定された施設の周辺の他の施設と提携する提携駐車場の名称およびその提携駐車場の提携先の施設の名称を取得し、取得した情報を表示部を介して表示させ、
前記制御部は、さらに、
前記記憶部に記憶された施設情報と提携駐車場情報とから、前記他の施設と前記他の施設と提携する提携駐車場についての推薦情報を生成し、
前記記憶部に記憶された施設情報と提携駐車場情報とから、前記ユーザにより指定された施設の場所、前記他の施設の場所、および前記他の施設と提携する提携駐車場の場所についての情報を取得して、前記ユーザが各場所を回る際の経路の合計である経路長を算出し、
前記算出された経路長を含めた前記推薦情報を、前記表示部を介して表示させることを特徴とする施設案内方法。
【請求項５】
道路情報を記憶した道路情報記憶部と、
衛星から電波信号を受信し、位置を特定するＧＰＳ受信部とをさらに備え、
前記制御部は、
出発地点を前記ＧＰＳ受信部により特定し、前記道路情報記憶部の道路情報を用いて、当該出発地点から到達地点まで移動する際の所要時間を算出し、
前記記憶部に記憶された施設情報と提携駐車場情報とに基づき、前記算出された到達予想時刻が、前記他の施設および前記提携駐車場の営業時間内であるときに前記推薦情報を前記表示部を介して表示させることを特徴とする請求項４に記載の施設案内方法。
【請求項６】
前記提携駐車場の満車・空車情報を無線通信により受信する通信部をさらに備え、
前記制御部は、
前記通信部を介して前記提携駐車場の前記満車・空車情報を取得し、
前記取得した満車・空車情報を含めた前記推薦情報を、前記表示部を介して表示させることを特徴とする請求項４または請求項５に記載の施設案内方法。
【請求項７】
ユーザに利用される各施設の名称、場所、および提携駐車場の有無が対応付けて登録された施設情報を記憶するとともに、各提携駐車場の名称、場所、および提携先の施設の名称が対応付けて登録された提携駐車場情報を記憶する記憶部と、
前記ユーザが利用を目的としている施設が入力部を介して指定されると、前記記憶部に記憶された施設情報を検索して提携駐車場の有無を調べ、前記指定された施設に提携駐車場がない場合は、前記記憶部に記憶された提携駐車場情報を検索し、前記指定された施設の周辺の他の施設と提携する提携駐車場の名称およびその提携駐車場の提携先の施設の名称を取得し、取得した情報を表示部を介して表示させる制御部と、
前記記憶部に記憶された施設情報と提携駐車場情報とから、前記他の施設と前記他の施設と提携する提携駐車場についての推薦情報を生成する推薦情報生成部と、
前記記憶部に記憶された施設情報と提携駐車場情報とから、前記ユーザにより指定された施設の場所、前記他の施設の場所、および前記他の施設と提携する提携駐車場の場所についての情報を取得して、前記ユーザが各場所を回る際の経路の合計である経路長を算出する経路長算出部とを備え、
前記制御部は、前記経路長算出部で算出された経路長を含めた前記推薦情報を、前記表示部を介して表示させることを特徴とする施設案内システム。
【請求項８】
請求項４乃至請求項６のいずれか１項に記載の施設案内方法をコンピュータに実行させるためのプログラム。
【発明の詳細な説明】
【技術分野】
【０００１】
本発明は、施設案内装置、施設案内方法、施設案内システムおよびプログラムの技術に関する。
【背景技術】
【０００２】
ユーザの嗜好・目的に合わせた目的地を検索する施設検索機能は、車載用のナビゲーション装置や、通信端末などにより提供される情報検索に広く用いられている。しかし、目的地への移動に自動車を用いる場合、目的地に到着すると駐車場が必要となる。
ユーザは、目的地としている施設と提携している駐車場に駐車した場合、駐車料金の割引サービスを受けることができるという利点がある。
そこで、ユーザが選択した目的地とする施設の提携駐車場の有無情報を検索し、提携駐車場がある場合には、提携駐車場情報を表示し、提携駐車場がない場合には、選択した施設の周辺に存在する駐車場を検索して表示する施設案内装置が提示されている（例えば、特許文献１参照）。
【特許文献１】特開２００５−２２７２９１号公報
【発明の開示】
【発明が解決しようとする課題】
【０００３】
しかしながら、特許文献１に記載された技術では、ユーザが選択した目的地とする施設が、提携駐車場を持たない場合は、目的施設と提携していない駐車場を利用することとなり、駐車料金の割引サービスを受けることができない。
【０００４】
またユーザは、ユーザ自身が頻繁に利用する地域の施設であれば、提携駐車場を有さない目的施設の近傍に、目的施設以外の施設と提携している駐車場の存在を知っていることがある。その場合にユーザは、その提携駐車場に駐車し、本来の目的施設を利用した後に、その提携駐車場と提携する施設に立ち寄ることで、駐車料金の割引サービスを受けることができる。しかし、目的施設の周辺にある施設に詳しくない場合、適切な提携駐車場とその提携先の施設を見つけるのは、ユーザにとっては難しいものとなる。
【０００５】
このような背景に鑑みて本発明がなされたのであり、本発明は、目的施設が提携駐車場を持たない場合であっても、目的施設周辺の提携駐車場とその提携先の施設をユーザに提示する施設案内装置、施設案内方法、施設案内システムおよびプログラムを提供することを目的とする。
【課題を解決するための手段】
【０００６】
前記課題を解決するため、本発明の施設案内装置、施設案内方法、施設案内システムおよびプログラムは、記憶部に記憶された施設情報を検索し、目的施設が提携駐車場を有するか否かを判断し、当該目的施設が提携駐車場を有さないと判断した場合には、目的施設周辺に存在する目的施設とは異なる他の施設が提携している提携駐車場の提携駐車場情報を検索することを特徴とする。
【発明の効果】
【０００７】
本発明によれば、目的施設が提携駐車場を持たない場合であっても、目的施設周辺の提携駐車場とその提携先の施設をユーザに提示する施設案内装置、施設案内方法、施設案内システムおよびプログラムを提供することができる。
【発明を実施するための最良の形態】
【０００８】
次に、本発明を実施するための最良の形態（「実施形態」という）について、適宜図面を参照しながら詳細に説明する。
【０００９】
（第１の実施形態）
図１は、本発明の第１の実施形態に係る施設案内装置の構成例を示す機能ブロック図である。
施設案内装置１は、施設と提携駐車場に関する情報を記憶した記憶部１１０、ユーザの操作を入力する入力部１２０、施設案内装置１を制御するために各種の処理を行う制御部１００、制御部により処理された結果を表示する表示部１３０とを有する。
【００１０】
記憶部１１０は、図２に示すように、少なくとも施設名称、施設位置情報（場所）、および提携駐車場の有無情報を含んだ施設情報である施設テーブル２００と、少なくとも提携駐車場名称、提携駐車場位置情報（場所）、および提携先の施設の名称（提携する施設を識別するための提携先施設ＩＤ）を含んだ提携駐車場情報である提携駐車場テーブル２５０とを記憶している。
【００１１】
施設テーブル（施設情報）２００は、図２（ａ）に示すように、施設位置情報（場所）２０１、施設ＩＤ２０２、施設名称２０３、提携駐車場有無情報２０４、施設カテゴリ２０５、施設営業時間２０６などの施設に関する情報が記憶される。この他に、施設の住所や、電話番号などの情報を含めることができる。
【００１２】
提携駐車場テーブル（提携駐車場情報）２５０は、図２（ｂ）に示すように、提携駐車場位置情報（場所）２５１、駐車場を識別するための駐車場ＩＤ２５２、提携駐車場と提携関係にある施設を識別するための提携先施設ＩＤ２５３、提携駐車場名称２５４、駐車場営業時間２５５、駐車料金２５６、割引サービス２５７などの提携駐車場に関する情報が記憶される。この他に、駐車可能な自動車の大きさの制限（例えば、高さ２ｍ以内）、駐車台数などの情報を含めることができる。
【００１３】
入力部１２０（図１参照）は、目的地を検索する手掛かりとなる名称や施設のカテゴリ、住所などをユーザにより入力する機能を有し、タッチパネルやキーボードなどにより実現される。
【００１４】
制御部１００は、図１に示すように、施設情報検索部１０２、提携駐車場有無判断部１０３、周辺提携駐車場検索部１０４、推薦情報生成部１０５、および一時記憶部１０１を有する。
【００１５】
施設情報検索部１０２は、記憶部１１０に記憶された施設テーブル２００を用いて、ユーザが入力部１２０によって入力した目的施設を検索する機能を有する。例えば、施設名称をもとに目的施設を検索する場合、施設情報検索部１０２は、ユーザが入力した施設名称と一致するデータを、施設テーブル２００の施設名称２０３において検索する。そして、検索された情報と関連付けられている他の施設情報である施設位置情報２０１や施設ＩＤ２０２などを取得する機能を持つ。
【００１６】
提携駐車場有無判断部１０３は、記憶部１１０に記憶された施設テーブル２００の提携駐車場有無情報２０４を取得し、目的施設と提携している提携駐車場があるか否かを判断する機能を有する。
【００１７】
周辺提携駐車場検索部１０４は、目的施設周辺に存在する目的施設とは異なる他の施設が提携している提携駐車場を検索する機能を持つ。具体的には、記憶部１１０に記憶された施設テーブル２００の施設位置情報２０１と、提携駐車場テーブル２５０の提携駐車場位置情報２５１とに基づき、目的施設から所定の距離の範囲内にある提携駐車場を検索する機能を有する。
【００１８】
推薦情報生成部１０５は、記憶部１１０に記憶された施設情報と提携駐車場情報を用いて、立ち寄り施設として適切な提携駐車場と目的施設とは異なる他の施設とをユーザに選択させるための推薦情報を生成する機能を有する。
【００１９】
また、推薦情報生成部１０５は、経路長算出部１０６を備えている。
経路長算出部１０６は、記憶部１１０に記憶された施設テーブル２００の施設位置情報２０１から、目的施設と目的施設とは異なる他の施設の位置情報を取得し、提携駐車場テーブル２５０の提携駐車場位置情報２５１から提携駐車場の位置情報を取得して、目的施設、他の施設、提携駐車場をユーザが回る際の距離である経路長の合計を算出する機能を有する。
【００２０】
一時記憶部１０１は、記憶部１１０から読み出された施設情報や提携駐車場情報を一時的に記憶しておくための記憶手段であり、ＲＡＭ（Random Access Memory）などにより構成される。
【００２１】
表示部１３０は、制御部１００で処理された情報を表示するものであり、例えば液晶ディスプレイなどで構成される。また、視覚による提示だけでなく、文字情報を音声に変換してユーザに提示する構成にすることもできる。
【００２２】
次に、図１〜図２を参照しつつ、図３に沿って、本実施形態に係る施設案内装置が行う処理の流れを説明する。
図３は、本発明の第１の実施形態に係る施設案内装置１において、目的施設が設定されてから、提携駐車場とその提携駐車場の提携先である施設（目的施設とは異なる他の施設）の推薦情報をユーザに対して提示するまでのフローチャートである。
【００２３】
まず、ユーザが目的地とする施設を検索する（ステップＳ３０１）。
具体的には、目的地とする施設の情報、例えば、施設名称、住所、施設の属するカテゴリなどを、ユーザが入力部１２０において入力する（ユーザが利用を目的としている施設が指定させる）。すると、施設情報検索部１０２は、例えば、施設名称が入力された場合であれば、記憶部１１０内の施設テーブル２００において、施設名称２０３を検索することで、該当する施設を探し出す。そして、検索された目的施設に関する施設情報である施設位置情報２０１や施設ＩＤ２０２などの関連情報を一時記憶部１０１に記憶する。
【００２４】
次に、提携駐車場有無判断部１０３は、施設情報検索部１０２の検索結果により、一時記憶部１０１に記憶された目的施設の施設情報から、提携駐車場有無情報２０４を参照することで、目的施設が提携駐車場を有するか否かを判断する（ステップＳ３０２）。
また、提携駐車場有無判断部１０３は、施設情報検索部１０２で得た目的施設の施設情報から、施設ＩＤ２０２を取得し、記憶部１１０内の提携駐車場テーブル２５０の提携先施設ＩＤ２５３を検索する。ここで、施設ＩＤ２０２と提携先施設ＩＤ２５３は、同一の施設に対しては同一のＩＤ番号が付されて登録されている。よって、施設ＩＤ２０２と同じＩＤ番号が、提携先施設ＩＤ２５３において検出されれば、その目的施設は提携駐車場があると判断し、同じＩＤ番号が検出されなければ、提携駐車場を有さないと判断することができる。
【００２５】
ステップＳ３０２の結果、目的施設に提携駐車場がある場合（ステップＳ３０２→Ｙｅｓ）、制御部１００は、目的施設の提携駐車場を表示部１３０に表示して（ステップＳ３０９）、処理を終了する。
ステップＳ３０２の結果、目的施設が提携駐車場を有さない場合（ステップＳ３０２→Ｎｏ）、周辺提携駐車場検索部１０４は、目的施設周辺に存在する他の施設が有する提携駐車場を検索する（ステップＳ３０３）。
【００２６】
図４（ａ）は、ステップＳ３０３の検索結果を概念図として表したものである。ここでは、目的施設をＡとし、その位置情報を（Ｘ，Ｙ）としている。ステップＳ３０３では、Ａ（Ｘ，Ｙ）を中心とした所定距離を半径とする円４００の内部に存在する目的施設とは異なる他の施設が提携する提携駐車場を検索する。
周辺提携駐車場検索部１０４は、記憶部１１０内の提携駐車場テーブル２５０の提携駐車場位置情報２５１から、円４００の内部に入る座標を検索する。検索の結果、所定距離内において提携駐車場が一件も見つからなかった場合（ステップＳ３０４→Ｎｏ）には、処理を終了する。
一方、所定距離内において提携駐車場が見つかった場合（ステップＳ３０４→Ｙｅｓ）は、検出された提携駐車場の提携駐車場位置情報２５１、提携先施設ＩＤ２５３、提携駐車場名称２５４などの提携駐車場情報を取得し、一時記憶部１０１に記憶させる。
図４（ａ）は、目的施設から所定距離の円４００の内部に、提携駐車場Ｐ１〜Ｐ５が存在している例を示している。
【００２７】
次に、周辺提携駐車場検索部１０４は、ステップＳ３０３で取得した提携駐車場情報のうち、提携先施設ＩＤ２５３をもとに施設情報を検索する（ステップＳ３０５）。すなわち、提携駐車場テーブル２５０の提携先施設ＩＤ２５３と一致するＩＤ番号を施設テーブル２００の施設ＩＤ２０２において検索する。検索の結果、検出された目的施設とは異なる他の施設の施設情報を一時記憶部１０１に記憶させる。
図４（ｂ）は、ステップＳ３０５の検索結果を概念図として表したものである。提携駐車場Ｐ１とＰ５の提携先の施設がＦ３、提携駐車場Ｐ２とＰ３の提携先の施設がＦ２、提携駐車場Ｐ４の提携先の施設がＦ１である例を示している。
【００２８】
次に、ステップＳ３０１で検出された目的施設、ステップＳ３０５で検出された目的施設とは異なる他の施設、およびステップＳ３０３で検出された提携駐車場とをユーザが回る際の距離である経路長を算出する（ステップＳ３０６）。
【００２９】
経路長を算出する具体的なフローチャートを図５に示す。
経路長算出部１０６は、まず、目的施設の位置情報を取得する（ステップＳ５０１）。これは図３のステップＳ３０１で一時記憶部１０１に記憶した目的施設の施設位置情報２０１を読み出すことによって行われる。
【００３０】
次に、経路長算出部１０６は、目的施設とは異なる他の施設の位置情報を取得する（ステップＳ５０２）。これは、図３のステップＳ３０５で一時記憶部１０１に記憶した他の施設の施設位置情報２０１を読み出すことによって行われる。
【００３１】
さらに、経路長算出部１０６は、提携駐車場の位置情報を取得する（ステップＳ５０３）。これは図３のステップＳ３０３で一時記憶部１０１に記憶した提携駐車場の提携駐車場位置情報２５１を読み出すことによって行われる。
【００３２】
そして、経路長算出部１０６は、ステップＳ５０１〜Ｓ５０３で読み出した位置情報から、目的施設、他の施設、提携駐車場の３つを回る際の経路長を算出する（ステップＳ５０４）。
図４（ｃ）は、ユーザが、目的施設、他の施設、提携先駐車場を回る経路を概念図として示したものである。例えば、提携駐車場Ｐ１に駐車したユーザは、目的施設Ａ、他の施設Ｆ３を経由して提携駐車場Ｐ１に戻る経路を表している。ここで各２点間の距離はｘｙ座標から３平方の定理を用いて求めることができ、矢印（→）で示された２地点間の直線距離を合計することで経路長を算出することができる。
【００３３】
図３に戻りステップＳ３０６で経路長が算出されると、推薦情報生成部１０５は、一時記憶部１０１に記憶した提携駐車場情報と施設情報に加えて、目的施設、他の施設、提携先駐車場を回る経路長の合計である経路長情報を追加した推薦情報を生成する（ステップＳ３０７）。
推薦情報は、図６に示すように、目的施設とは異なる他の施設の施設情報と提携駐車場情報とが提携先施設ＩＤ２５３を介して関連付けられた情報であり、経路長算出部１０６によって算出された経路長の合計である経路長情報６０１を含んで構成される。
【００３４】
そして、ステップＳ３０７の結果、推薦情報生成部１０５により生成された推薦情報は、表示部においてユーザに提示される（ステップＳ３０８）。
図７は、表示部において表示された推薦情報の一例である。目的施設とは異なる他の施設と提携駐車場とが組となって表示され、施設名称２０３、施設営業時間２０６や、提携駐車場名称２５４、駐車料金２５６、割引サービス２５７、立ち寄り距離などを表示する。ここで立ち寄り距離は、目的施設、他の施設、提携先駐車場をユーザが回る際の経路長の合計である経路長情報６０１を示している。
【００３５】
このようにすることで、目的施設に提携駐車場がない場合であっても、ユーザは推薦情報の表示から、立ち寄り距離や割引サービスなどの情報をもとに他の施設と提携駐車場を選択でき、目的地周辺の目的施設とは異なる他の施設が有する提携駐車場を利用することで、割引サービスを受けることができるようになる。
【００３６】
また、推薦情報生成部１０５により生成され、目的施設とは異なる他の施設と提携駐車場の組み合わせで示された推薦情報が、多数検出される場合も考えられる。その場合には、図８（ａ）に示すように、ユーザの嗜好に沿ったカテゴリの他の施設を選択できるようにし、多数検出された推薦情報を絞り込む構成とすることもできる。
また、検出件数が多い場合には、目的施設と同じカテゴリの他の施設の推薦情報を優先して表示させる構成にすることもできる。図８（ｂ）は、目的施設の施設カテゴリが「デパート」である場合に、施設カテゴリが「本屋」である施設Ｆ３は表示せず、施設カテゴリが目的施設と同じ「デパート」である施設Ｆ１と施設Ｆ２のみを表示していることを示している。
【００３７】
このようにすることで、推薦情報生成部１０５により生成された推薦情報が、多数検出された場合であっても、ユーザの嗜好にあった他の施設を提示することができる。
【００３８】
（第２の実施形態）
図９は、本発明の第２の実施形態に係る施設案内装置の構成例を示す機能ブロック図である。
第１の実施形態と同一の構成には同一の符号を付し、同一の機能を有するものとして説明を省略する。
【００３９】
図９に示すように、第２の実施形態に係る施設案内装置９は、第１の実施形態を示す図１の施設案内装置１に備えられた、制御部１００、記憶部１１０、入力部１２０、表示部１３０に加えて、道路情報記憶部９４０、ＧＰＳ受信部９５０、および通信部９６０を有している。
【００４０】
道路情報記憶部９４０は、道路の形状を道路リンクと呼ばれる線分の集合で表現し、各道路リンクの始点と終点の地図上の座標を記憶している。さらに、道路リンクを通過する際に経過に要する時間（旅行時間と呼ぶ）を各道路リンクごとに記憶しているものである。各道路リンクにはＩＤ番号が割り当てられており、ＩＤ番号を指定することで、道路リンクの始点・終点の座標と旅行時間の情報を読み出すことができる。また、道路情報を用いて出発座標と到着座標を結ぶ道路リンクの組み合わせを求め、その道路リンクの長さを合計することで、道路に沿った経路長の合計を算出することができる。
【００４１】
ＧＰＳ受信部９５０は、複数の衛星から電波信号を受信し、各衛星の信号受信のタイミングの差から受信機の存在する位置を算出する。
また、通信部９６０は、駐車場の満車・空車に関する情報を無線通信により送受信する機能を有する。
【００４２】
さらに、推薦情報生成部１０５は、第１の実施形態に係る施設案内装置１で備えられた経路長算出部１０６に加えて、旅行時間算出部９０７と駐車場利用状況取得部９０８とを有している。
【００４３】
旅行時間算出部９０７は、道路情報記憶部９４０に記憶された道路情報を用いて、出発地点から到達地点まで移動する際の所要時間を求める機能を持つ。
具体的には、まず、出発地点から到着地点までの経路を探索する。検索方法は、出発地点と到着地点の両座標から最も近い道路上の座標を道路情報記憶部９４０から探し出す。そして、出発地点に最も近い道路上の座標（出発座標）から、到着地点に最も近い道路上の座標（到着座標）へ向かう際の道路の経路を探索する。経路を探索すると、探索された経路を構成する各道路リンクの旅行時間を、道路情報記憶部９４０から読み出す。そして、各道路リンクの旅行時間の合計が目的地までの所要時間となる。
【００４４】
駐車場利用状況取得部９０８は、通信部９６０を介して、提携駐車場の満車・空車情報を取得する機能を有する。駐車場利用状況取得部９０８が、満車・空車情報を取得することにより、提携駐車場が満車でありユーザが利用できない状況であれば、満車であることを明示した推薦情報を生成したり、満車である提携駐車場を推薦情報として提示しないことができる。
【００４５】
次に第２の実施形態に係る施設案内装置９が行う処理の流れを説明する。
第２の実施形態において、目的施設の設定から、提携駐車場とその提携駐車場と提携する施設の推薦情報をユーザに対し提示する全体の流れは、第１の実施形態における図３のフローチャートと同一である。第１の実施形態に係る施設案内装置１との違いは、後述するように、道路情報記憶部９４０に記憶された道路情報を用いて、経路長算出部１０６が実際にユーザが歩くこととなる道路に沿った経路長を算出する点、また、推薦情報生成部１０５が、施設への到着予定時刻に関する情報、満車・空車情報を処理した上で推薦情報を生成する点である。
【００４６】
図１０は、図３のステップＳ３０６に相当する経路長合計を算出する流れを、施設案内装置９が行う場合のフローチャートを示したものである。
まず、経路長算出部１０６が、目的施設と目的施設周辺に存在する目的施設とは異なる他の施設との間の経路長を算出する（ステップＳ１００１）。
具体的には、経路長算出部１０６は、一時記憶部１０１に記憶された施設テーブル２００から、目的施設と他の施設の施設位置情報２０１を読み出し、次に道路情報記憶部９４０において、目的施設の座標に最も近い道路上の座標（出発座標）から、他の施設の座標に最も近い道路上の座標（到着座標）へ向かう際の道路の経路を検索し、各道路リンク間の距離を合計することで、目的施設と他の施設の間の経路長を算出する。
【００４７】
次に、経路長算出部１０６は、他の施設と提携駐車場との間の経路長を算出する（ステップＳ１００２）。
経路長算出部１０６は、一時記憶部１０１に記憶された、施設テーブル２００から他の施設の施設位置情報２０１を読み出し、提携駐車場テーブル２５０から、提携駐車場位置情報２５１を読み出す。次に、道路情報記憶部９４０の道路情報を用いて、ステップＳ１００１と同様の処理を行い、他の施設から提携駐車場へ向かう際の道路の経路を検索し、各道路リンク間の距離を合計することで、経路長を算出する。
【００４８】
さらに、経路長算出部１０６は、提携駐車場と目的施設との間の経路長を算出する（ステップ１００３）。
経路長算出部１０６は、一時記憶部１０１から提携駐車場位置情報２５１と目的施設の施設位置情報２０１を読み出す。次に、ステップＳ１００１と同様の処理を行い、提携駐車場から目的施設へ向かう際の道路の経路を検索し、各道路リンク間の距離を合計することで、経路長を算出する。
【００４９】
ステップＳ１００１〜ステップ１００３で求めた３つの経路長を合計することで、ユーザが、目的施設、他の施設、提携駐車場を回る際の道路に沿った経路長の合計値を算出する（ステップＳ１００４）。
【００５０】
そして、経路長算出部１０６は、他の施設が有するすべての提携駐車場について経路長合計を求めたかを判断する（ステップＳ１００５）。経路長が合計されていない提携駐車場がある場合には（ステップＳ１００５→Ｎｏ）、ステップＳ１００２へ戻り、経路長算出処理が続けられる。すべての提携駐車場について経路長合計が求められた場合には（ステップＳ１００５→Ｙｅｓ）、ステップＳ１００６へと進み処理される。
【００５１】
次に、経路長算出部１０６は、すべての他の施設について経路長合計を求めたかを判断する（ステップＳ１００６）。経路長が合計されていない他の施設がある場合には（ステップＳ１００６→Ｎｏ）、ステップＳ１００１に戻り経路長算出処理が続けられる。すべての他の施設について経路長合計が求められた場合には（ステップＳ１００６→Ｙｅｓ）、経路長算出の処理を完了し、推薦情報を生成する処理に進む（図３のステップＳ３０７）。
【００５２】
このようにすることで、ユーザが立ち寄ることとなる、目的施設、他の施設、提携駐車場を回る際の道路に沿った経路で経路長合計を求め、その経路長情報をユーザに提示することができる。
【００５３】
次に、施設案内装置９における図３のステップＳ３０７として、推薦情報を生成する処理について説明する。
【００５４】
図１１は、提携駐車場の満車・空車情報を施設案内装置９が取得する場合の構成例を示す機能ブロック図である。このシステムは、満車・空車情報を受信する施設案内装置９と、駐車場情報配信センタ１１００と、満車・空車情報を送信する通信手段を備えた駐車場Ａ１１１０、駐車場Ｂ１１２０、駐車場Ｃ１１３０…とで構成される。
【００５５】
施設案内装置９は、満車・空車情報を取得するための通信部９６０を備えている。推薦情報生成部１０５が有する駐車場利用状況取得部９０８が、通信部９６０を介して満車・空車情報を取得する。
【００５６】
駐車場情報配信センタ１１００は、各駐車場から満車・空車情報を受信する駐車場情報通信部１１０１と、駐車場情報通信部１１０１を介して受信した満車・空車情報を記憶する駐車場情報記憶部１１０２と、駐車場情報記憶部１１０２に記憶された満車・空車情報を施設案内装置９に送信するためのセンタ通信部１１０３とから構成される。
【００５７】
また、駐車場Ａ１１１０、駐車場Ｂ１１２０、駐車場Ｃ１１３０…は、駐車場の満車・空車情報を駐車場の料金メータなどから取得する駐車場監視部１１１１、１１２１、１１３１と、満車・空車情報を送信するための駐車場通信部１１１２、１１２２、１１３２とを有する。
【００５８】
各駐車場１１１０、１１２０、１１３０は、駐車場通信部１１１２、１１２２、１１３２から、数分間から数十分程度の周期で駐車場情報配信センタ１１００に満車・空車情報を送信する。満車・空車情報を受信すると、駐車場配信センタ１１００は、駐車場情報記憶部１１０２に、各駐車場の満車・空車情報を、駐車場を識別するための駐車場ＩＤで検索できるデータとして記憶しておく。
【００５９】
施設案内装置９の駐車場利用状況取得部９０８は、提携駐車場の満車・空車情報を得るために、一時記憶部１０１に記憶された提携駐車場テーブル２５０の駐車場ＩＤ２５２を検索キーとするデータを、駐車場情報配信センタ１１００に送信する。次に、駐車場情報配信センタ１１００は、該当する駐車場ＩＤを有する駐車場を駐車場情報記憶部１１０２において検索し、その駐車場の満車・空車情報を施設案内装置９に送信する。そして、駐車場利用状況取得部９０８は、通信部９６０を介して提携駐車場の満車・空車情報を得ることができる。
【００６０】
施設案内装置９が、推薦情報を生成するため、到達予定時刻に関する情報と満車・空車情報とを処理するステップを図１２に示す。
【００６１】
まず、ステップＳ１２０１において、推薦情報生成部１０５は、目的施設への到達予定時刻を取得する。
施設案内装置９では、ＧＰＳ受信部９５０が算出した現在位置を出発地点とし、旅行時間算出部９０７が、道路情報記憶部９４０に記憶した道路情報をもとに、目的地までの旅行時間を、各道路リンクの旅行時間を合計することにより求めることができる。推薦情報生成部１０５は、図示しないタイマ部を有し、現在位置の出発時刻に旅行時間算出部９０７が算出した旅行時間を加えた時間を、到達予定時刻として取得する。
また、ユーザが到達予定時刻を入力部１２０を介して入力する構成とすることもできる。
【００６２】
次に、推薦情報生成部１０５は、ステップ１２０１で取得した到達予定時刻が営業時間外となる他の施設、提携駐車場が存在するかを検索する（ステップＳ１２０２）。これは、到達予定時刻が、施設テーブル２００において該当する他の施設の施設営業時間２０６内に入っているか、また、提携駐車場テーブル２５０において該当する提携駐車場の駐車場営業時間２５５内に入っているかどうかで判断することができる。
ステップＳ１２０２において、到達予定時刻が営業時間外になる他の施設、提携駐車場が存在すると判断された場合は（ステップＳ１２０２→Ｙｅｓ）、該当する他の施設、提携駐車場が営業時間外であるとして変更した推薦情報を生成する。
また、到達予定時刻が営業時間外になる他の施設、提携先駐車場が存在しない場合は（ステップＳ１２０２→Ｎｏ）、ステップＳ１２０４の処理に進む。
【００６３】
次に、駐車場利用状況取得部９０８は、通信部９６０を介して提携駐車場の満車・空車情報を取得する（ステップＳ１２０４）。
ステップＳ１２０４において、推薦情報生成部１０５は、該当する提携駐車場のうち、満車状態である提携駐車場が存在する場合は（ステップＳ１２０５→Ｙｅｓ）、満車情報を加えて、変更した推薦情報を生成する。
また、満車状態である提携駐車場が存在しない場合は（ステップＳ１２０５→Ｎｏ）、処理を終え、推薦情報を表示する処理に移る（図３のステップＳ３０８）。
【００６４】
図１３（ａ）は、推薦情報生成部１０５が、到達予定時刻に関する情報と満車・空車情報とを処理した上で、推薦情報を生成し、表示部１３０において表示した例である。Ｐ４駐車場は、到達予定時刻では、営業時間外であることを示している（１３０１）。また、Ｐ５駐車場は、営業時間内ではあるが、満車状態であることを示している（１３０２）。
また、図１３（ｂ）は、他の施設と提携駐車場との両方が利用可能な場合のみ推薦情報として表示するようにした例である。施設Ｆ１と提携しているＰ４駐車場は、営業時間外であったため、推薦情報としての表示自体を削除している。また、Ｐ５駐車場は、満車状態のため表示を削除した構成であることを示している。
【００６５】
このようにすることで、ユーザが目的施設に到着する時間、満車・空車情報を考慮し、実際にユーザが利用可能な他の施設と提携駐車場を適切に提示することができる。そして、目的施設が提携駐車場を有さない場合であっても、ユーザは目的施設周辺に存在する目的施設とは異なる他の施設を利用することで、確実に提携駐車場の割引サービスを受けることができる。
【図面の簡単な説明】
【００６６】
【図１】本発明の第１の実施形態に係る施設案内装置の構成例を示す機能ブロック図である。
【図２】図２（ａ）は、本発明の実施形態に係る施設情報のデータ構成の一例を示す図である。図２（ｂ）は、本発明の実施形態に係る提携駐車場情報のデータ構成の一例を示す図である。
【図３】本発明の実施形態に係る施設案内装置の動作を示すフローチャートである。
【図４】図４（ａ）は、本発明の第１の実施形態に係る施設案内装置が、経路長を算出するときの目的施設と提携駐車場との関係を示す概念図である。図４（ｂ）は、提携駐車場と他の施設との関係を示す概念図である。図４（ｃ）は、目的施設、他の施設、提携駐車場を回る経路を示す概念図である。
【図５】本発明の第１の実施形態に係る施設案内装置において、目的施設、他の施設、提携駐車場を回る際の経路長を算出する動作を示すフローチャートである。
【図６】本発明の実施形態に係る推薦情報のデータ構成の一例を示す図である。
【図７】本発明の第１の実施形態に係る推薦情報を表示した一例を示す図である。
【図８】図８（ａ）は、本発明の第１の実施形態に係る推薦情報を選択するための一例を示す図である。図８（ｂ）は、本発明の第１の実施形態に係る推薦情報を表示した一例を示す図である。
【図９】本発明の第２の実施形態に係る施設案内装置の構成例を示す機能ブロック図である。
【図１０】本発明の第２の実施形態に係る施設案内装置において、目的施設、他の施設、提携駐車場の回る際の経路長を算出する動作を示すフローチャートである。
【図１１】本発明の第２の実施形態に係る施設案内装置を用いた施設案内システムの構成例を示す機能ブロック図である。
【図１２】本発明の第２の実施形態に係る施設案内装置の動作を示すフローチャートである。
【図１３】本発明の第２の実施形態に係る推薦情報を表示した例を示す図である。
【符号の説明】
【００６７】
１、９  施設案内装置
１００  制御部
１０１  一時記憶部
１０２  施設情報検索部
１０３  提携駐車場有無判断部
１０４  周辺提携駐車場検索部
１０５  推薦情報生成部
１０６  経路長算出部
１１０  記憶部
１２０  入力部
１３０  表示部
２００  施設テーブル（施設情報）
２５０  提携駐車場テーブル（提携駐車場情報）
９０７  旅行時間算出部
９０８  駐車場利用状況取得部
９４０  道路情報記憶部
９５０  ＧＰＳ受信部
９６０  通信部
【図１】
0004971934.tif 000002
【図２】
0004971934.tif 000003
【図３】
0004971934.tif 000004
【図４】
0004971934.tif 000005
【図５】
0004971934.tif 000006
【図６】
0004971934.tif 000007
【図７】
0004971934.tif 000008
【図８】
0004971934.tif 000009
【図９】
0004971934.tif 000010
【図１０】
0004971934.tif 000011
【図１１】
0004971934.tif 000012
【図１２】
0004971934.tif 000013
【図１３】
0004971934.tif 000014